(57)【要約】【課題】ＡＦのモードごとに専用スイッチを設けることなく、機能を切り替え、１つのＡＦスイッチに複数の機能を割り当てることにより、省スペース化かつ部品点数を削減することが可能となり、ＡＦスイッチを有効に使用することを目的とする。【解決手段】上記目的を達成するため、本発明は、常時ＡＦを行うフルタイムＡＦモードと一度ＡＦにて合焦した後ＡＦ動作を停止させるワンタイムＡＦモードとを選択するＡＦ選択手段を備えた撮影装置において、前記ワンタイムＡＦを開始するＡＦスイッチに前記フルタイムＡＦモード選択時に使用される機能を兼用させる構成とする。【選択図】      図１
2004341040.tif 000002
【特許請求の範囲】
【請求項１】
常時ＡＦを行うフルタイムＡＦモードと一度ＡＦにて合焦した後ＡＦ動作を停止させるワンタイムＡＦモードとを選択するＡＦ選択手段を備えた撮影装置において、
前記ワンタイムＡＦを開始するＡＦスイッチに前記フルタイムＡＦモード選択時に使用される機能を兼用させることを特徴とする撮影装置。
【発明の詳細な説明】
【０００１】
【発明の属する技術分野】
本発明は、ＡＦ機能を搭載した動画像撮影装置であるビデオレンズ、ビデオカメラ、テレビレンズまたはテレビカメラをはじめとした撮影装置に関するものである。
【０００２】
【従来の技術】
近年、ＡＦ機能を搭載した動画像撮影装置であるビデオレンズ、ビデオカメラ、テレビレンズまたはテレビカメラをはじめとした光学装置においては、映像信号の中から、水平同期信号及び、垂直同期信号を検出し、映像信号処理のための基準信号を生成し、そして基準信号から、被写体の鮮鋭度評価値に応じた信号を抽出して評価し、その信号が大きくなる方向へフォーカスレンズを移動させ、最大となるところで停止させる山登り方式と呼ばれる、光学系の焦点検出動作を行う自動焦点検出方式（以降はＡＦ方式と記す）が主流となっている（例えば、特許文献１参照）。この種のＡＦ方式の動作例について図４、５を用いて説明する。
【０００３】
同図は、従来のＡＦ方式による動画像撮影装置であるビデオレンズ、ビデオカメラ、テレビレンズまたはテレビカメラを始めとした光学機器装置の構成を示すブロック図であり、同図中、１は動画像撮影装置であるビデオレンズ、ビデオカメラ、テレビレンズまたはテレビカメラを始めとする光学装置、２はフォーカスレンズ、３は入力する光信号を電気信号に変換して映像信号として出力するＣＣＤ（撮像素子）、４はＣＣＤ３から出力される映像信号を処理する映像信号処理部、５は処理された映像信号をもとにＡＦ評価値として鮮鋭度を算出するＡＦ評価部、６はＡＦ評価部５から入力した鮮鋭度を元に後述するモータ７を制御することで、フォーカスレンズ２の目標位置を算出するＣＰＵ（中央処理装置）、７はフォーカスレンズ２を駆動するモータ、８はフォーカスレンズ２の位置を検出し、ＣＰＵ６へ現在位置をフィードバック信号として入力する物体距離検出部、９はＡＦを開始させるＡＦスイッチである。
【０００４】
以下に、ＡＦ方式のひとつであるワンタイムＡＦの動作について、図４とフローチャート図５を用いて説明する。ワンタイムＡＦとは、ＡＦスイッチを押したとき、焦点検出エリア内の被写体に合焦し、ＡＦ処理を終了させるＡＦであり、一度、合焦したら、再度ＡＦスイッチを押さなければ、ＡＦを行わないＡＦである。
【０００５】
まず、ＣＰＵ６では、ｓｔｅｐ２０１で、ＡＦスイッチＯＮ／ＯＦＦの確認を行う。ＡＦスイッチがＯＦＦからＯＮされれば、ｓｔｅｐ２０２のＡＦ処理へ進む。ＯＦＦからＯＮされなければ、ｓｔｅｐ２０１へ戻る。つまり、ＡＦが開始されずマニュアルフォーカスの状態である。
【０００６】
ｓｔｅｐ２０２では、フォーカスレンズ２を通った光が、ＣＣＤ３の撮像面上に結像し、ＣＣＤ３にて映像信号に変換し、出力される。映像信号処理部４では、ＣＣＤ３から入力された映像信号をフィルタ等により処理し、映像信号から、水平同期信号及び、垂直同期信号を検出し、基準信号を作成する。ＡＦ評価部５では、撮影画面の中央に設定された焦点検出エリア内において、ＡＦ評価値として、基準信号から鮮鋭度を算出する。ここで前記焦点検出エリアが撮影画面の中央に設定されてれば、被写体は常に撮影エリアの中央において合焦されることになる。そしてｓｔｅｐ２０３の合焦処理へ進む。ｓｔｅｐ２０３では、フォーカスレンズ２に接続された物体距離検出部８によって、フォーカスレンズ２の位置を検出し、ＣＰＵ６に位置フィードバック信号として入力する。そしてＣＰＵ６では、ＡＦ評価部５で算出された鮮鋭度および焦点距離検出部８で得られた位置フィードバック信号を元に、鮮鋭度が最大となるようなフォーカスレンズ２の目標位置を算出し、モータ７に位置指令信号を入力する。モータ７は、ＣＰＵ６から入力された位置指令信号を元にして、フォーカスレンズ２を駆動することで、フォーカスレンズ２の位置制御を行い、被写体への合焦処理を行う。合焦後、ｓｔｅｐ２０１へ戻る。
【０００７】
【特許文献１】
特開平６−６２３０５号公報
【０００８】
【発明が解決しようとする課題】
しかしながら、上記従来例では、ＡＦを開始させるスイッチであるＡＦスイッチを、マニュアル状態から、ＡＦを開始するためのトリガにしか使用していないため。有効な活用がでできていない。
【０００９】
ＡＦ動作において、２つ以上のモードがある場合、新たに追加されたモードに関して、ＡＦスイッチに機能を割り当てない場合、スイッチをＯＮ／ＯＦＦしても何の動作せず、無駄になる。
【００１０】
このような課題に対し、本出願の目的は、ワンタイムＡＦ時のＡＦ開始スイッチとしてのみ使用していたＡＦスイッチを、他のＡＦモード時（たとえばフルタイムＡＦ）にも、使用できるように機能を割り当て、ＡＦのモードごとに専用スイッチを設けることなく、ＡＦスイッチ共有することにより、省スペース化かつ部品点数を削減することにより、ＡＦスイッチを有効に使用することを目的とする。
【００１１】
【課題を解決するための手段】
上記目的を達成するため、本発明は、常時ＡＦを行うフルタイムＡＦモードと一度ＡＦにて合焦した後ＡＦ動作を停止させるワンタイムＡＦモードとを選択するＡＦ選択手段を備えた撮影装置において、前記ワンタイムＡＦを開始するＡＦスイッチに前記フルタイムＡＦモード選択時に使用される機能を兼用させる構成とする。
【００１２】
【発明の実施の形態】
（第１実施例）
以下、本発明の実施例を図１〜図２に基づき説明する。
【００１３】
図１は、本発明による動画像撮影装置であるビデオレンズ、ビデオカメラ、テレビレンズまたはテレビカメラを始めとした光学機器装置の構成を示すブロック図であり、同図中、１は動画像撮影装置であるビデオレンズ、ビデオカメラ、テレビレンズまたはテレビカメラを始めとする光学装置、２はフォーカスレンズ、３は入力する光信号を電気信号に変換して映像信号として出力するＣＣＤ（撮像素子）、４はＣＣＤ３から出力される映像信号を処理する映像信号処理部、５は処理された映像信号をもとにＡＦ評価値として鮮鋭度を算出するＡＦ評価部、６はＡＦ評価部５から入力した鮮鋭度を元にフォーカスレンズ２の目標位置を算出することで、後述するモータ７を制御するＣＰＵ（中央処理装置）、７はフォーカスレンズ２を駆動するモータ、８はフォーカスレンズ２の位置を検出し、ＣＰＵ６へ現在位置のフィードバック信号として入力する物体距離検出部、９はＡＦ機能を開始するためのＡＦスイッチ、１０はワンタイムＡＦモード、他のＡＦモードのＡＦモードを選択可能な、ＡＦモード選択手段である。
【００１４】
以下に、本実施例を、図２のフローチャートを用いて説明する。
【００１５】
第１の実施例では他のＡＦモードをフルタイムＡＦモードとして、説明する。
【００１６】
本実施例において、ＡＦに２つのモードを設けることとした。１つはワンタイムＡＦ、もう一つはフルタイムＡＦである。ワンタイムＡＦとは、従来例でも示したように、ＡＦスイッチを押したとき、焦点検出エリア内の被写体に合焦し、ＡＦ処理を終了させるＡＦであり、一度、合焦したら、再度ＡＦスイッチを押さなければ、ＡＦを再スタートしないＡＦである。また、フルタイムＡＦとは、焦点検出エリアに被写体が入った場合、絶えずＡＦ処理を行い、合焦させつづけるＡＦである。
【００１７】
本実施例は、ＡＦが動作するにあたり、まず、現在のＡＦのモードがフルタイムＡＦなのか、ワンタイムＡＦなのかを判断する必要がある。
【００１８】
ｓｔｅｐ１０１では、ＣＰＵ６に接続された、ＡＦモード選択手段１０により、現在のＡＦモードを判断する。ワンショットＡＦモードが選択されていた場合、ｓｔｅｐ１０２へ進み、フルタイムＡＦモードが選択されていた場合は、ｓｔｅｐ１０６へ進む。本実施例では、ワンショットＡＦモードの場合、ＡＦスイッチ９を、ＡＦを開始させるためのスイッチとして割り当てている。ｓｔｅｐ１０２では、ＡＦスイッチ９がＯＦＦからＯＮされたかどうかを判断する。ＯＦＦからＯＮされていない場合、ｓｔｅｐ１０１へ戻る。逆にＯＦＦからＯＮされていた場合、ｓｔｅｐ１０３へ進み、ＡＦ処理を行う。ｓｔｅｐ１０３では、ＡＦ処理を行う。ＡＦ評価部５からのＡＦ評価値を入力として、鮮鋭度を算出する。次にｓｔｅｐ１０４に進み、合焦処理をおこなう。ｓｔｅｐ１０４では、フォーカスレンズ２に接続された物体距離検出部８によって、現在のフォーカスレンズ２の位置を検出し、位置フィードバック信号の入力とＡＦ評価部５で算出された鮮鋭度および焦点距離検出部８で得られた位置フィードバック信号を元に、鮮鋭度が最大となるようにフォーカスレンズ２の目標位置を算出し、その目標位置と現在のフォーカスレンズ２の位置より、位置指令信号を計算し、その位置指令信号に基づいた駆動信号をモータ７に入力する。モータ７は、この駆動信号を元にして、フォーカスレンズ２を駆動することで、フォーカスレンズ２の位置制御を行うことで、被写体への合焦処理を行う。合焦後、ｓｔｅｐ１０５にてモータ７を停止する。そして、ｓｔｅｐ１０１へ戻る。ｓｔｅｐ１０１にて、フルタイムＡＦモードが選択されていた場合、ｓｔｅｐ１０６へ進み、ワンタイムＡＦモード時と同様、ＡＦスイッチ９の確認を行う。ＡＦスイッチ９がＯＦＦからＯＮされていた場合、ｓｔｅｐ１０７へ進み、モータを停止、駆動しないよう固定し、ＡＦスイッチ９が押されている間、ＡＦを停止する。そして、ｓｔｅｐ１０１へ戻る。ＡＦスイッチ９がＯＦＦされていた場合、ｓｔｅｐ１０８へ進み、ＡＦ処理を行う。
【００１９】
ｓｔｅｐ１０８〜１１０のＡＦ処理、合焦処理、モータ停止はｓｔｅｐ１０３〜１０５と同じ処理であるため、説明を割愛する。これらの処理が終了した後ｓｔｅｐ１０１へ戻る。
【００２０】
このように、ＡＦスイッチをＯＦＦからＯＮしたとき、ＡＦ選択手段が、ワンタイムＡＦモードを選択している場合、ＡＦを開始するためのスイッチとして使用し、フルタイムＡＦモードを選択している場合、ＡＦを停止するためのスイッチとして使用することにより、ＡＦのモードごとに専用スイッチを設けることなく、機能を切り替え、１つのＡＦスイッチに複数の機能を割り当てることにより、省スペース化かつ部品点数を削減することが可能となり、ＡＦスイッチを有効に使用することができる。
【００２１】
（第２実施例）
第１の実施例では、フルタイムＡＦモード時の、ＡＦスイッチ９がＯＮのとき、ＡＦを停止するように、割り付けたが、ＡＦスイッチ９をＯＮしている間はフルタイムＡＦとし、ＯＦＦ時はマニュアルフォーカスとしても良い。
【００２２】
このように、ＡＦスイッチをＯＮしたとき、ＡＦ選択手段が、ワンタイムＡＦモードを選択している場合、ＡＦを開始するためのスイッチとして使用し、フルタイムＡＦモードを選択している場合、ＡＦを行うためのスイッチとして使用し、かつＡＦスイッチをＯＦＦ時にはマニュアルフォーカスとすることで、ＡＦのモードごとに専用スイッチを設けることなく、機能を切り替え、１つのＡＦスイッチに複数の機能を割り当てることにより、省スペース化かつ部品点数を削減することが可能となり、ＡＦスイッチを有効に使用することができる。
【００２３】
（第３実施例）
第１の実施例では、フルタイムＡＦ時の、ＡＦスイッチ９がＯＮのとき、ＡＦを停止するように、割り付けたが、ＡＦスイッチ９をＯＦＦしている間はフルタイムＡＦとし、ＯＮ時は強制的にフォーカスを任意の位置に移動させるようにしても良い。ここでは、無限遠に移動させる実施例を図１、およびフローチャート図３にて、説明する。
【００２４】
図１の説明は、第１の実施例にて行っているので、割愛する。
【００２５】
第３の実施例でも、他のＡＦモードをフルタイムＡＦモードとして、説明する。
【００２６】
本実施例は、ＡＦが動作するにあたり、まず、現在のＡＦのモードがフルタイムＡＦなのか、ワンタイムＡＦなのかを判断する必要がある。
【００２７】
ｓｔｅｐ３０１では、ＣＰＵ６に接続された、ＡＦモード選択手段１０により、現在のＡＦモードを判断する。ワンショットＡＦモードが選択されていた場合、ｓｔｅｐ３０２へ進み、フルタイムＡＦモードが選択されていた場合は、ｓｔｅｐ３０６へ進む。本実施例では、ワンショットＡＦモードの場合、ＡＦスイッチ９を、ＡＦを開始させるためのスイッチとして割り当てている。ｓｔｅｐ３０２では、ＡＦスイッチ９がＯＦＦからＯＮされたかどうかを判断する。ＯＦＦからＯＮされていない場合、ｓｔｅｐ３０１へ戻る。逆にＯＦＦからＯＮされていた場合、ｓｔｅｐ３０３へ進み、ＡＦ処理を行う。ｓｔｅｐ３０３〜３０５のＡＦ処理、合焦処理、モータ停止はｓｔｅｐ１０３〜１０５と同じ処理であるため、説明を割愛する。これらの処理が終了した後ｓｔｅｐ３０１へ戻る。ｓｔｅｐ３０１にて、フルタイムＡＦモードが選択されていた場合、ｓｔｅｐ３０６へ進み、ワンタイムＡＦモード時と同様、ＡＦスイッチ９の確認を行う。ＡＦスイッチ９がＯＦＦからＯＮされていた場合、ｓｔｅｐ３０７へ進み、モータ７をフォーカスが無限遠の位置になるよう、駆動し、停止する。つまりＡＦスイッチ９がＯＮされつづければ、無限遠に停止しつづけることになる。そして、ｓｔｅｐ３０１へ戻る。ＡＦスイッチ９がＯＦＦされていた場合、ｓｔｅｐ３０８へ進み、ＡＦ処理を行う。
【００２８】
ｓｔｅｐ３０８〜３１０のＡＦ処理、合焦処理、モータ停止はｓｔｅｐ１０３〜１０５と同じ処理であるため、説明を割愛する。これらの処理が終了した後ｓｔｅｐ３０１へ戻る。
【００２９】
このように、ＡＦスイッチをＯＮしたとき、ＡＦ選択手段が、ワンタイムＡＦモードを選択している場合、ＡＦを開始するためのスイッチとして使用し、フルタイムＡＦモードを選択している場合、フォーカスが無限遠の位置になるよう駆動するスイッチとして使用することにより、ＡＦのモードごとに専用スイッチを設けることなく、機能を切り替え、１つのＡＦスイッチに複数の機能を割り当てることにより、省スペース化かつ部品点数を削減することが可能となり、ＡＦスイッチを有効に使用することができる。
【００３０】
第１〜第３の実施例では、ＡＦモードを２つとしたが、３つ以上にし、それぞれのＡＦモードに応じて、ＡＦスイッチ９に機能を割り振ってもよい。
【００３１】
［本発明の実施態様］
本発明の様々な例と実施形態が示され説明されたが、当業者であれば、本発明の趣旨と範囲は本明細書内の特定の説明と図に限定されるのではなく、本願特許請求の範囲に全て述べられた様々の修正と変更に及ぶことが理解されるであろう。
【００３２】
本発明の実施態様の例を以下に列挙する。
【００３３】
［実施態様１］常時ＡＦを行うフルタイムＡＦモードと一度ＡＦにて合焦した後ＡＦ動作を停止させるワンタイムＡＦモードとを選択するＡＦ選択手段を備えた撮影装置において、
前記ワンタイムＡＦを開始するＡＦスイッチに前記フルタイムＡＦモード選択時に使用される機能を兼用させることを特徴とする撮影装置。
【００３４】
［実施態様２］前記ＡＦスイッチをＯＦＦからＯＮにした時、前記ＡＦ選択手段が前記ワンタイムＡＦモードを選択している場合、前記ワンタイムＡＦを開始するためのスイッチとして使用し、前記フルタイムＡＦモードを選択している場合、前記フルタイムＡＦを停止するためのスイッチとして使用する実施態様１記載の撮影装置。
【００３５】
［実施態様３］前記フルタイムＡＦモードを選択している場合、前記ＡＦスイッチをフォーカスレンズを任意のフォーカス位置に移動させるスイッチとして機能する実施態様１又は２記載の撮影装置。
【００３６】
［実施態様４］前記ＡＦスイッチをＯＦＦからＯＮにした時、前記ＡＦ選択手段が前記ワンタイムＡＦモードを選択している場合、前記ワンタイムＡＦを開始するためのスイッチとして使用し、前記フルタイムＡＦモードを選択している場合、前記フォーカスレンズを任意のフォーカス位置に移動させるスイッチとして使用する実施態様３記載の撮影装置。
【００３７】
［実施態様５］前記フルタイムＡＦモードを選択している場合、前記ＡＦスイッチをＯＮした時、前記フルタイムＡＦを行うためのスイッチとして機能し、前記ＡＦスイッチをＯＦＦした時、マニュアル操作手段によるマニュアルフォーカスを行える状態とする実施態様１記載の撮影装置。
【００３８】
【発明の効果】
以上説明したように、本発明によれば、常時ＡＦを行うフルタイムＡＦモードと一度ＡＦにて合焦した後ＡＦ動作を停止させるワンタイムＡＦモードとを選択するＡＦ選択手段を備えた撮影装置において、前記ワンタイムＡＦを開始するＡＦスイッチに前記フルタイムＡＦモード選択時に使用される機能を兼用させるＡＦのモードごとに専用スイッチを設けることなく、機能を切り替え、１つのＡＦスイッチに複数の機能を割り当てることにより、省スペース化かつ部品点数を削減することが可能となり、ＡＦスイッチを有効に使用することができる。
【図面の簡単な説明】
【図１】本発明の第１実施例のブロック図
【図２】本発明の第１実施例のフローチャート
【図３】本発明の第３実施例のフローチャート
【図４】従来例のブロック図
【図５】従来例のフローチャート
【符号の説明】
１  光学装置
２  フォーカスレンズ
３  ＣＣＤ（撮像素子）
４  映像信号処理部
５  ＡＦ評価部
６  ＣＰＵ
７  モータ
８  物体距離検出部
９  ＡＦスイッチ
１０  ＡＦモード選択手段
【図１】
2004341040.tif 000003
【図２】
2004341040.tif 000004
【図３】
2004341040.tif 000005
【図４】
2004341040.tif 000006
【図５】
2004341040.tif 000007